(57)【要約】      （修正有）【課題】落下した水路周辺の小動物が容易に脱出可能なコンクリート側溝および溜桝を提供すること。さらには、規格外形幅寸法も、従来の幅寸法と実質同一である側溝および溜桝を提供する。【解決手段】底部１３に立設されて対向する側壁１１の少なくとも一方の側壁１１内面に埋設されたインサート雌ネジ金具に対して、貫通穴を有する芯材にシュロ縄などらせん状に巻き付けてなる縄巻き部材を、側溝底部１３付近から上部開口部付近へ至るように、ボルト金具を用いてネジ締め固設してなることを特徴とするコンクリートＵ字側溝１０である。【選択図】図１
0003206379.tif 000002
【実用新案登録請求の範囲】
【請求項１】
底部に立設されて対向する側壁の少なくとも一方の側壁内面に埋設されたインサート雌ネジ金具に対して、貫通穴を有する芯材に縄をらせん状に巻き付けてなる縄巻き部材を、側溝底部付近から上部開口部付近へ至るように、ボルト金具を用いてネジ締め固設してなることを特徴とするコンクリートＵ字側溝である。
【請求項２】
前記縄巻き部材が、側壁内面に設けた凹部内に埋れるようにネジ締め固設されてなることを特徴とする特徴とする請求項１に記載のコンクリートＵ字側溝である。
【請求項３】
前記縄巻き部材を構成する芯材が、板状または棒状であり、素材は木、竹、プラスチック、コンクリート、金属のいずれか１つであること特徴とする請求項１に記載のコンクリートＵ字側溝である。
【請求項４】
前記縄巻き部材を構成する縄が、シュロ繊維、麻繊維、またはプラスチック繊維のいずれか１つを撚って作られてなること特徴とする請求項１に記載のコンクリートＵ字側溝である。
【請求項５】
溜桝の側壁内面に埋設されたインサート雌ネジ金具に対して、貫通穴を有する芯材に縄をらせん状に巻き付けてなる縄巻き部材を、溜桝底部付近から上部開口部付近へ至るように、ボルト金具によりねじ締め固設されてなることを特徴とするコンクリート溜桝である。
【考案の詳細な説明】
【技術分野】
【０００１】本考案は、落下した小動物が容易に脱出できるコンクリートＵ字側溝および溜桝に関する。
【背景技術】
【０００２】従来のコンクリートＵ字側溝や溜桝は、この用水路周辺に生息するカエル、ネズミ、亀、沢蟹、ヘビ（以下、小動物と言う）等が、一旦、その中に落ちると、容易に自力で脱出できない構造となっている。これは、側溝、溜桝のコンクリート側壁が、滑らかで、垂直に近く、かつ小動物にとって高いため、よじ登ることも、跳躍して脱出することもできないためである。【０００３】このような原因で、特定の小動物が脱出できずに死滅してしまうことは、小動物の生態系が乱れるばかりでなく、農作物に対する虫害を増加させる原因にもなっている。【０００４】このような事態を受けて、近年、小動物が容易に脱出できる構造を備えたコンクリート側溝が多数提案されている。例えば、特許第５５１８５１２号（特許文献１）の「コンクリートフリューム」では、底面から略垂直に立設する側壁を外側に傾斜して形成し、小動物がコンクリート傾斜面を容易によじ登ることができるようにしている。側溝側壁の一部を外側に拡げて傾斜させているので、小動物は垂直面よりも容易によじ登ることができる点で一定の効果は期待される。【０００５】しかしながら、側壁に多数の昇降段差部が設けられているとはいえ、コンクリート面であることに変わりはなく、傾斜角度を大きく取らざるを得ない。この傾斜角度を大きくとれば、従来の側溝の長手方向の一部ではあるが上部外形幅寸法を大きくさせてしまい土木施工の際に従来品と同一に扱うことができなくなるばかりでなく、隣接する道路や畦の実質幅を狭めてしまうという影響がでる問題点がある。【０００６】そこで、従来の側溝の側壁を底面に対して垂直に維持したまま、小動物の脱出を容易にする構造として、特許第３０３２３０６号（特許文献２）では、側溝内部に昇降スベリ止め加工斜面スロープを合設固定することが提案されている。従来の規格外形幅寸法を拡げないで、このような昇降すべり止めスロープを合設固定すれば、それだけ有効流量断面積が減少し流量性能が損なわれる。さらに、このような昇降スベリ止め加工斜面スロープを設けることは、枯葉やごみなどの漂流物がひっ掛かりやすく、さらに製造コスト高を招くものであった。【０００７】一方、側溝の構造による改善提案ばかりでなく、２０１５年２月２４日付け山口新聞／ニュース記事（非特許文献１）によれば、側溝に落下した小動物を救う方法として、所謂「シュロの糸」を側壁内側に垂らして、カエルをよじ登らせる方法が開示されている。この「シュロの糸」とは、シュロ繊維を束ねて太い紐状にしたものであるが、小動物の手足が掛かりやすく容易によじ登れることに着目したものである。しかしながら、側溝内壁にシュロ繊維の束を垂らす方法では、水流による流失、カラスなどによる持ち逃げ、枯葉やゴミ、汚泥など漂流物の引っ掛かりなどがあり、効果の安定性に問題点を抱えている。【０００８】
【特許文献１】特許第５５１８５１２号
【特許文献２】特許第３０３２３０６号
【０００９】
【非特許文献１】山口新聞／ニュース記事、「日本自然保護大賞受賞  大田小・村田さん考案のシュロの糸」、［ｏｎｌｉｎｅ］、２０１５年２月２４日（火）掲載、山口新聞社、［２０１６年６月５日検索］、インターネット〈ＵＲＬ  ｈｔｔｐ：／／ｗｗｗ．ｍｉｎａｔｏ−ｙａｍａｇｕｃｈｉ．ｃｏ．ｊｐ／ｙａｍａ／ｎｅｗｓ／ｄｉｇｅｓｔ／２０１５／０２２４／９ｐ．ｈｔｍｌ〉
【考案の開示】
【考案が解決しようとする課題】
【００１０】本考案は、上記諸問題点に鑑み、水路周辺に生息する小動物の生態系を保護するため、落下した小動物が容易に脱出可能なコンクリート側溝および溜桝を提供すること、さらには、規格外形幅寸法も、従来の幅寸法と実質同一である側溝および溜桝の提供を課題とする。
【課題を解決するための手段】
【００１１】上記課題を解決するために考案されたＵ字側溝は下記の通りである。
本考案１は、底部に立設されて対向する側壁の少なくとも一方の側壁内面に埋設されたインサート雌ネジ金具に対して、貫通穴を有する芯材に縄をらせん状に巻き付けてなる縄巻き部材を、側溝底部付近から上部開口部付近へ至るように、ボルト金具を用いてネジ締め固設してなることを特徴とするコンクリートＵ字側溝である。（請求項１）【００１２】本考案１において、前記縄巻き部材が、側壁内面に設けた凹部内に埋れるようにネジ締め固設されてなることを特徴とするコンクリートＵ字側溝である。（請求項２）【００１３】本考案１において、前記縄巻き部材を構成する芯材が、板状または棒状であり、素材は木、竹、プラスチック、コンクリート、金属のいずれか１つであること特徴とするコンクリートＵ字側溝である。（請求項３）【００１４】本考案１において、前記縄巻き部材を構成する縄が、シュロ繊維、麻繊維、またはプラスチック繊維のいずれか１つを撚って作られてなること特徴とするコンクリートＵ字側溝である。（請求項４）【００１５】さらに、本考案２は、溜桝の側壁内面に埋設されたインサート雌ネジ金具に対して、貫通穴を有する芯材に縄をらせん状に巻き付けてなる縄巻き部材を、溜桝底部付近から上部開口部付近へ至るように、ボルト金具によりねじ締め固設されてなることを特徴とするコンクリート溜桝である。（請求項５）
【考案の効果】
【００１６】本考案にかかるコンクリートＵ字側溝よれば、側溝内面に、貫通穴を有する芯材に縄をらせん状に巻き付けてなる縄巻き部材を考案したことにより、その形状を、板状または棒状などにすることが出来るとともに、内壁に設けたインサート雌ネジ金具と、芯材の貫通穴を通したボルト金具により側溝内壁に確実に固定できる。【００１７】そして、前記縄巻き部材を、薄くもできることから、側壁の実用強度を維持しながら側壁内面に設けた凹部内に埋めこんで固定できる。したがって、内面側に固設した縄巻き部材が、側溝流量性能を殆ど減少させることはない。【００１８】溜桝においても、側溝における効果と同じように、縄をらせん状に巻き付けてなる貫通穴を有する部材を固設適用することにより、溜桝内部容量を殆ど減少させずに小動物の脱出を容易にする効果がある。
【考案を実施するための最良の形態】
【００１９】以下、図面を参照しつつ本考案に係る小動物保護用の側溝および溜桝の好適な実施形態について詳細に説明する。本考案が対象とするコンクリートＵ字側溝は、長手方向に直角な断面が略Ｕ字形で、主として水路として使用される。溜桝とは、内部空間を有する略直方体であり、集水、分水桝として使用される。
【実施例１】
【００２０】図１は、本考案にかかるコンクリートＵ字側溝１０を示す全体斜視図である。図１に示すように、側溝１０の側壁１１の内面凹部１４に縄巻き部材１を壁に埋め込むように固設している。同図に示すように、縄巻き部材１は側溝底面１３から、上部開口部に向かって設け、小動物が底面からよじ登ることができるようにしている。【００２１】図２は、縄巻き部材１の固設方法を分解的に説明したものである。縄巻き部材１とは、芯材２の周囲を覆うように縄３をらせん状にタイトに巻き付けたものである。縄の素材としては、シュロ繊維、麻繊維、ナイロンなどのプラスチック繊維が好適に用いられる。縄の巻き間隔は、それぞれの縄同士がタイトに接触するようにしても、やや間隔をあけてもよい。【００２２】芯材２の素材は、木、竹、プラスチック、コンクリート、金属が好適に用いられる。芯材２は、図２に示すような板状の方が、小動物の目に付き易い利点があるが、棒状でもよい。芯材２にはその両端部付近に貫通穴４がそれぞれ設けられている。縄巻き部材１は、その貫通穴４を通したボルト金具５を、側溝側壁１１に設けたインサート雌ネジ金具１２に嵌めてネジ締め固設される。【００２３】インサート雌ネジ金具は、コンクリートを側溝型枠に流し込んで製造する際に、雌ネジ金具を予め型枠の内面に対して垂直に取り付けておいたもので、コンクリートが成型固化した後は、その雌ネジ穴金具がコンクリート側表面に開口して露出しており、ボルト金具を嵌め込みネジ締めすることができる。【００２４】図３は、実施例１における縄巻き部材の固設部の断面を説明したものである。芯材２の周囲は、縄３がらせん状に巻きつけられている。本実施例１では、芯材２の貫通穴４の開口部において、ボルト金具５が芯材に埋もれて隠れるように貫通穴４の開口部の縁径を部分的に大きくしている。【００２５】本実施例１では、縄巻き部材１を、複数の側溝を嵌め込みながら土木施工するためのソケット部１１ａと呼ばれる付近に固設している。この固設位置は、ソケット部１１ａ付近に限られるものではなく、側壁内部の長手方向のどの位置でもよい。縄巻き部材１をソケット部１１ａ付近以外の側壁に設ける場合は、側壁１１強度が実用耐力以下にならないように、縄巻き部材の厚さを必要に応じて薄くすることが好ましい。側溝の側壁内面に凹部１４を設けないで固設する場合は、縄巻き部材の厚さをより薄くすることにより、水路流量機能の低下が殆ど避けられる。
【実施例２】
【００２６】図４は、側溝のソケット部１１ａ付近の内壁に凹部１４を設け、縄巻き部材１を傾斜させてボルト金具５により固設したものである。本実施例２では、縄巻き部材１は、棒状として傾斜させていることにより、小動物は縄巻き部材１の上部傾斜側面もよじ登ることができる。本実施例２では図４に示すように、凹部１４の側面の４隅に雌ネジ金具を設けている。したがって、縄巻き部材５の傾斜方向を、必要に応じて左右逆向きにも選択することも可能である。
【実施例３】
【００２７】図５は、板状の縄巻き部材１を、側溝のソケット部１１ａ付近ではない側壁１１内壁に設けた事例である。縄巻き部材１を、表面積の大きい板状にすることにより、小動物の目に付きやすいという利点がある。
【実施例４】
【００２８】図６は、縄巻き部材１を固設するソケット部１１ａの凹部内壁面を、傾斜させている場合の説明図である（縄巻き部材１は、図示せず）。  ソケット部１１ａの厚み範囲内で、凹部１４の内壁面部のみを、底部から上部開口部方向に向けて内寸が広がるように傾斜させることにより、側溝外形および寸法を変えることなく、小動物にとって、より脱出しやすくなっている。
【実施例５】
【００２９】図７は、溜桝２０の内壁に、板状の縄巻き部材１を垂直に、ボルト金具５により固設した場合の説明図である。凹部を設けて縄巻き部材１を固設する方法は、前記実施例１において説明した通りである。
【実施例６】
【００３０】図８は、溜桝２０の内壁に、棒状の縄巻き部材１を傾斜させて、ボルト金具５により固設した場合の説明図である。縄巻き部材１を固設する方法は、前記実施例２において説明した通りである。
【図面の簡単な説明】
【００３１】
【図１】本考案（実施例１）にかかる側溝を示す全体斜視図である。
【図２】本考案（実施例１）にかかる側溝の分解的説明図である。
【図３】本考案（実施例１）にかかる側溝の断面図である。
【図４】本考案（実施例２）にかかる側溝の斜視図である。
【図５】本考案（実施例３）にかかる側溝の斜視図である。
【図６】本考案（実施例４）にかかる側溝の斜視図である。
【図７】本考案（実施例５）にかかる溜桝に斜視図である。
【図８】本考案（実施例６）にかかる溜桝に斜視図である。
【符号の説明】
【００３２】１  ・・縄巻き部材
２  ・・芯材
３  ・・縄
４  ・・貫通穴
５  ・・ボルト金具
１０・・本考案の側溝
１１・・側壁
１１ａ・（側溝壁１１の）ソケット部
１２・・インサート雌ネジ金具
１３・・底部
１４・・凹部
２０・・本考案の溜桝
【図１】
0003206379.tif 000003
【図２】
0003206379.tif 000004
【図３】
0003206379.tif 000005
【図４】
0003206379.tif 000006
【図５】
0003206379.tif 000007
【図６】
0003206379.tif 000008
【図７】
0003206379.tif 000009
【図８】
0003206379.tif 000010